(57)【要約】【課題】表示画面に表示した二次元コードを天板上から読み取る際に、コンロバーナからの熱の影響を低減することができるガスコンロを提供する。【解決手段】天板２の一対のコンロバーナ３，４間に各種情報を表示する表示画面７を設ける。表示画面７に、光学読み取り用の二次元コードが表示可能となる複数の二次元コード表示部１３，１４，１５を設ける。複数の二次元コード表示部１３，１４，１５の何れかに選択的に二次元コードを表示させる表示制御手段８を設ける。表示制御手段８は、一対のコンロバーナ３（４）の何れか一方が燃焼中に二次元コードを表示させるとき、燃焼中のコンロバーナ３（４）から最も離れた位置にある二次元コード表示部１４（１３）に二次元コードを表示させる。【選択図】図１
2015098959.tif 000002
【特許請求の範囲】
【請求項１】
天板上に火炎を形成して被調理物を加熱する少なくとも一対のコンロバーナと、一対のコンロバーナ間の前記天板の一部に設けられて各種情報を表示する表示画面とを備えるガスコンロにおいて、
前記表示画面に光学読み取り用の二次元コードが表示可能となる複数の二次元コード表示部を設け、
複数の二次元コード表示部の何れかに選択的に二次元コードを表示させる表示制御手段を設け、
前記表示制御手段は、前記一対のコンロバーナの何れか一方が燃焼中に二次元コードを表示させるとき、燃焼中のコンロバーナから最も離れた位置にある二次元コード表示部に二次元コードを表示させることを特徴とするガスコンロ。
【請求項２】
前記表示制御手段は、前記一対のコンロバーナが共に燃焼中のとき、前記複数の二次元コード表示部のうちの何れにおいても二次元コードを非表示とすることを特徴とする請求項１記載のガスコンロ。
【発明の詳細な説明】
【技術分野】
【０００１】
本発明は、天板の一部に表示画面を備えるガスコンロに関する。
【背景技術】
【０００２】
従来、コンロバーナが露出する天板の一部に表示画面を設けたガスコンロが知られている（例えば特許文献１参照）。天板の一部に表示画面を設けることにより、使用者は調理中に姿勢を変えることなく各種情報が確認でき、使い勝手がよい。
【０００３】
ところで、近年では、携帯電話機やスマートフォン等の携帯端末が備える光学読取装置でＱＲコード（株式会社デンソーウェーブの登録商標）等の二次元コードを読み取り、インターネットを介してウェブサイトから各種情報を入手することが行われている（例えば特許文献２参照）。
【０００４】
そこで、ガスコンロにおいても、天板に設けた表示画面にＱＲコード等の二次元コードを表示させ、携帯電話機やスマートフォン等の携帯端末を用いてガスコンロの操作方法や各種設定方法を参照できるようにすることが考えられる。
【０００５】
表示画面が天板の一部に設けられていることで、天板上に携帯電話機やスマートフォン等の携帯端末をかざして二次元コードを読み取り易い。また、コンロバーナによる調理中に使用者がガスコンロの近傍から離れることなく迅速にガスコンロに関する操作方法や各種設定方法等の情報を入手できる。
【先行技術文献】
【特許文献】
【０００６】
【特許文献１】特開２０１１−２５７１３６号公報
【特許文献２】特開２０１２−２５１７２３号公報
【発明の概要】
【発明が解決しようとする課題】
【０００７】
しかし、ガスコンロにおいては、天板上にコンロバーナの火炎が形成される。このため、天板に設けた表示画面とコンロバーナの火炎との距離が近いと、二次元コードを携帯端末で読み取るとき、表示画面に近づけた携帯端末が加熱されたり、使用者が携帯端末を持つ手指に熱さを感じ、二次元コードの読み取りに支障を来すおそれがある。
【０００８】
上記の点に鑑み、本発明は、表示画面に表示した二次元コードを天板上から読み取る際に、コンロバーナからの熱の影響を低減することができるガスコンロを提供することを目的とする。
【課題を解決するための手段】
【０００９】
かかる目的を達成するため、本発明は、天板上に火炎を形成して被調理物を加熱する少なくとも一対のコンロバーナと、一対のコンロバーナ間の前記天板の一部に設けられて各種情報を表示する表示画面とを備えるガスコンロにおいて、前記表示画面に光学読み取り用の二次元コードが表示可能となる複数の二次元コード表示部を設け、複数の二次元コード表示部の何れかに選択的に二次元コードを表示させる表示制御手段を設け、前記表示制御手段は、前記一対のコンロバーナの何れか一方が燃焼中に二次元コードを表示させるとき、燃焼中のコンロバーナから最も離れた位置にある二次元コード表示部に二次元コードを表示させることを特徴とする。
【００１０】
本発明によれば、前記表示制御手段は、二次元コードを表示させる際に一対のコンロバーナの何れか一方が燃焼しているとき、表示画面に設けられている複数の二次元コード表示部の内から燃焼中のコンロバーナからの距離が最も大きい位置にある二次元コード表示部を選択し、この二次元コード表示部に二次元コードを表示させる。
【００１１】
具体的には、例えば、一対のコンロバーナが左右方向に並んで配設され、天板における両コンロバーナ間の手前側に表示画面が設けられている場合には、表示画面の右隅角部と左隅角部との夫々に二次元コード表示部を設ける。そして、前記表示制御手段は、左側のコンロバーナのみが燃焼中であれば、表示画面の右隅角部の二次元コード表示部に二次元コードを表示させ、右側のコンロバーナのみが燃焼中であれば、表示画面の左隅角部の二次元コード表示部に二次元コードを表示させる。
【００１２】
これにより、表示画面に表示した二次元コードを天板上から読み取る際に、燃焼中である一方のコンロバーナの火炎から離間した位置で二次元コードの読み取り操作が行える。従って、表示画面に近づけた携帯端末が加熱されたり、使用者が携帯端末を持つ手指に熱さを感じるといった事態を可及的に回避することができる。
【００１３】
また、本発明において、前記表示制御手段は、前記一対のコンロバーナが共に燃焼中のとき、前記複数の二次元コード表示部のうちの何れにおいても二次元コードを非表示とすることを特徴とする。
【００１４】
一対のコンロバーナが共に燃焼中である場合には、表示画面に設けられている複数の二次元コード表示部の何れを選択しても、各コンロバーナの火炎から十分な距離を確保することができないおそれがある。そこで、この場合には、前記表示制御手段が複数の二次元コード表示部のうちの何れにも二次元コードを表示させないようにする。
【００１５】
これにより、コンロバーナの火炎によって二次元コードの読み取り操作に支障を来す場合に、二次元コードの読み取り操作が行えないようにして、携帯端末や使用者に対してコンロバーナの火炎が影響を与えるような状況を確実に回避することができる。
【図面の簡単な説明】
【００１６】
【図１】本発明の実施形態のガスコンロの説明的平面図。
【図２】本実施形態におけるガスコンロの要部の構成を示す図。
【図３】本実施形態における二次元コードの表示例として、（ａ）はＱＲコードを左コード表示部に表示した状態を示す図、（ｂ）はＱＲコードを右コード表示部に表示した状態を示す図。
【発明を実施するための形態】
【００１７】
本発明の一実施形態を図面に基づいて説明する。本実施形態のガスコンロ１は、図１に示すように、ガラス製の天板２上に露出する３つのコンロバーナ（右コンロバーナ３、左コンロバーナ４、後方コンロバーナ５）を備えている。このうちの右コンロバーナ３と左コンロバーナ４とは互いに間隙を存して左右方向に並んで設けられており、後方コンロバーナ５は、右コンロバーナ３と左コンロバーナ４との間の間隙の後方側に配設されている。右コンロバーナ３と左コンロバーナ４とは本発明における一対のコンロバーナに相当する。各コンロバーナ３，４，５は、その周囲に五徳６が設けられており、五徳６に載置した図示しない鍋等の被調理物を火炎により加熱する。
【００１８】
また、図示しないが、ガスコンロ１の前面パネル等に設けられた点火・消火ボタンを使用者が操作することにより各コンロバーナ３，４，５の点火と消火とが行われ、燃焼中の制御は燃焼制御手段により行われる。
【００１９】
右コンロバーナ３と左コンロバーナ４との間の間隙の前方側に位置する天板２の一部には、表示画面７が設けられている。表示画面７はドットマトリクス方式の液晶ディスプレイ（ＬＣＤ）であり、ガラス製の天板２の透明部分の裏面側に熱対策が施されて設置されている。なお、本実施形態では表示画面７としてドットマトリクス方式の液晶ディスプレイを採用しているが、これ以外に採用可能なドットマトリクス方式の表示画面として、有機エレクトロルミネッセンス（有機ＥＬ）、発光ダイオード（ＬＥＤ）表示装置、蛍光表示管（ＶＦＤ）、及びプラズマ表示装置等を挙げることができる。
【００２０】
表示画面７は、図２に示すように、表示制御回路８（表示制御手段）により表示動作が制御される。表示画面７への表示データは記憶手段としてのメモリ９に記憶されている。表示制御回路８は、ガスコンロ１の図示しない前面パネル等に選択操作手段として設けられている選択スイッチ１０の操作に応じて、表示画面７の表示を制御する。また、表示制御回路８は、各コンロバーナ３，４，５の燃焼の有無を含む運転情報を燃焼制御手段から取得する。
【００２１】
表示画面７は、各コンロバーナ３，４，５の運転情報や設定情報を、必要に応じて所定位置に表示可能となっている。更に、表示画面７は、情報項目を文字列表示する情報項目表示部１１と、ＱＲコード１２（二次元コード）を表示させる領域とした３つの二次元コード表示部（右コード表示部１３、左コード表示部１４、中央コード表示部１５）とを備えている。
【００２２】
情報項目表示部１１に表示される情報項目としては、図２に示す「レシピをさがす」の他、図示しないが、「取扱説明書」、「ＦＡＱ」、「部品・オプション品購入」、「サービスセンター情報」等が挙げられる。
【００２３】
右コード表示部１３は情報項目表示部１１の右側領域に設定されており、左コード表示部１４は情報項目表示部１１の左側領域に設定されており、中央コード表示部１５は情報項目表示部１１の後方側中央部に設定されている。図２に示す状態は、ＱＲコード１２が中央コード表示部１５に表示された状態を示している。
【００２４】
ＱＲコード１２は全部のコード表示部１３，１４，１５に同時に表示されることはなく、後述するように、何れか１つが表示制御回路８により選択される。
【００２５】
情報項目表示部１１に表示される情報項目は、ＱＲコード１２を介して入手することができる情報を示す文字列であり、選択スイッチ１０を操作することによりスクロールするようになっている。この選択操作により使用者がＱＲコード１２を介して入手を所望する情報項目を選択すると、表示制御回路８は、当該情報項目を情報項目表示部１１に表示すると同時に当該情報項目に対応するＱＲコード１２をメモリ９から抽出し、更に、３つのコード表示部１３，１４，１５のうちの何れか１つを選択してＱＲコード１２を表示させる。
【００２６】
ＱＲコード１２には、ウェブサーバのアドレスを示すデータが記録されており、図１に示す携帯端末１６を用いて読み取ることで、インターネットを介して情報を入手することができる。携帯端末１６として採用できるものは、スマートフォン、携帯電話機、ＰＤＡ、タブレットコンピュータ等が挙げられる。携帯端末１６には、ウェブブラウザ及びＱＲコード読み取りアプリケーション（ソフトウェア）がインストールされ、デジタルカメラ等の光学読取装置及びディスプレイ装置を備えている。
【００２７】
次に、ＱＲコード１２を表示させる際の表示制御回路８の作動を説明する。表示制御回路８は、右コンロバーナ３の燃焼の有無と左コンロバーナ４の燃焼の有無とを常に取得する。そして、表示制御回路８は、表示画面７の近傍に位置する右コンロバーナ３及び左コンロバーナ４の燃焼の有無に応じて３つのコード表示部１３，１４，１５のうちの何れか１つを選択してＱＲコード１２を表示させる。
【００２８】
即ち、右コンロバーナ３が燃焼中であって左コンロバーナ４が燃焼していないときに、使用者がＱＲコード１２を表示する情報項目の選択操作を行うと、表示制御回路８は、図３（ａ）に示すように、ＱＲコード１２を左コード表示部１４に表示する。逆に、左コンロバーナ４が燃焼中であって右コンロバーナ３が燃焼していないときに、使用者がＱＲコード１２を表示する情報項目の選択操作を行うと、表示制御回路８は、図３（ｂ）に示すように、ＱＲコード１２を右コード表示部１３に表示する。
【００２９】
このように、表示制御回路８が、燃焼中のコンロバーナから最も遠い位置にあるコード表示部を選択してＱＲコード１２を表示させるので、表示されているＱＲコード１２と燃焼中のコンロバーナの火炎との間に比較的大きな距離の空隙が形成され、表示画面に近づけた携帯端末１６が加熱されたり、使用者が携帯端末１６を持つ手指に熱さを感じるといった事態を可及的に回避することができる。
【００３０】
また、右コンロバーナ３と左コンロバーナ４との両方が共に燃焼中である場合には、表示制御回路８は、使用者がＱＲコード１２を表示する情報項目の選択操作を行っても、何れのコード表示部１３，１４，１５にもＱＲコード１２を表示させない。この場合には、図示しないが、表示制御回路８は、右コンロバーナ３と左コンロバーナ４との両方が共に燃焼中であるためＱＲコード１２を表示させない旨の案内文を、表示画面７に表示する。
【００３１】
右コンロバーナ３と左コンロバーナ４との両方が共に燃焼中である場合には、何れのコード表示部１３，１４，１５も右コンロバーナ３と左コンロバーナ４との両方の火炎の影響を受けるおそれがあるが、携帯端末１６を表示画面に近づける行為を行えないようにすることで、表示画面に近づけた携帯端末１６が加熱されたり、使用者が携帯端末１６を持つ手指に熱さを感じるといった事態を確実に回避することができる。
【００３２】
また、右コンロバーナ３と左コンロバーナ４との両方が共に燃焼していないときに、使用者がＱＲコード１２を表示する情報項目の選択操作を行うと、表示制御回路８は、図２に示すように、ＱＲコード１２を中央コード表示部１５に表示する。右コンロバーナ３と左コンロバーナ４との両方が共に燃焼していないときには、火炎の影響を受けることなくＱＲコード１２の読み取り操作が行える。従って、このような場合には、表示制御回路８が中央コード表示部１５にＱＲコード１２を表示させ、読み取り操作を容易とすることができる。
【００３３】
なお、本実施形態においては表示画面７に３つのコード表示部１３，１４，１５を設けた例を示したが、中央コード表示部１５を設けなくてもよく、また、右コンロバーナ３や左コンロバーナ４の火炎からの距離が十分に確保できる範囲で４つ以上のコード表示部を設けてもよい。
【００３４】
また、本実施形態においては、二次元コードとしてＱＲコード１２を採用した例を示したが、ＱＲコード以外の二次元コードであっても、当該二次元コードの読み取りアプリケーションがインストールされている携帯端末１６を用いることで、同様の効果を得ることができる。
【符号の説明】
【００３５】
１…ガスコンロ、２…天板、３…右コンロバーナ（コンロバーナ）、４…左コンロバーナ（コンロバーナ）、７…表示画面、８…表示制御回路（表示制御手段）、１３，１４，１５…コード表示部（二次元コード表示部）。
【図１】
2015098959.tif 000003
【図２】
2015098959.tif 000004
【図３】
2015098959.tif 000005